(57)【要約】      （修正有）【課題】保護レールが作業の防げをしないようにした往復動式工具用シュー組立体を提供する。【解決手段】  本体１と、回転出力軸と、回転出力軸の回転に応答して往復運動を実施するのに適した加工部材とを有する往復動式工具用シュー組立体において、組立体は、工具の本体に取り付けられるのに適しかつ被加工物と係合するのに適し、かつ加工部材がその往復動中に通過しうる穴を有する基板と、基板と本体の間で、出力部材への接近を制限するように基板に取り付けられるのに適した保護手段とを備えている。【選択図】      図１
2005081841.tif 000002
【特許請求の範囲】
【請求項１】
本体と、回転出力軸と、前記回転出力軸の回転に応答して往復運動を実施するのに適した加工部材とを有する往復動式工具用シュー組立体において、前記組立体は、
前記工具の前記本体に取り付けられるのに適しかつ被加工物と係合するのに適し、かつ前記加工部材がその往復動中に通過しうる穴を有する基板と、
前記基板と前記本体の間で、前記出力部材への接近を制限するように前記基板に取り付けられるのに適した保護手段とを備えている往復動式工具用シュー組立体。
【請求項２】
前記保護手段は、前記基板に形成された少なくとも１つの溝部に取り付けられるのに適している請求項１に記載の組立体。
【請求項３】
前記少なくとも１つの溝部は、前記基板の下側面に形成されている請求項２に記載の組立体。
【請求項４】
前記少なくとも１つの溝部は、前記基板の下側面から前記基板の前縁に沿って延びている請求項２又は３に記載の組立体。
【請求項５】
前記穴の両側においてそれぞれ形成されている第一及び第二の溝部を備えている請求項２〜４のいずれか１項に記載の組立体。
【請求項６】
前記少なくとも１つの溝部は、前記保護手段の一部分を弾性的に受容するためのスロットを備えている請求項２〜５のいずれか１項に記載の組立体。
【請求項７】
前記保護手段は、少なくとも１つの保護レールを備えている請求項１〜６のいずれか１項に記載の組立体。
【請求項８】
前記少なくとも１つの保護レールは、前記基板に形成された前記第一及び第二の溝部それぞれに使用時に取り付けられている２つのほぼ垂直な部分それぞれによって支持されている請求項７に記載の組立体。
【請求項９】
前記保護レールは、前記基板の前側に位置決めされている請求項８に記載の組立体。
【請求項１０】
前記保護手段と係合するのに適している塵ガードをさらに備えている請求項１〜９のいずれか１項に記載の組立体。
【請求項１１】
前記保護手段は、前記基板から取り外し可能である請求項１〜１０のいずれか１項に記載の組立体。
【請求項１２】
前記保護手段は、一片の鋼で形成されている請求項１〜１１のいずれか１項に記載の組立体。
【請求項１３】
本体と、
回転出力軸を有するモータ手段と、
前記出力軸の回転運動を加工部材の往復動に変換する駆動手段と、
請求項１〜１２のいずれか１項に記載のシュー組立体とを備えている往復動式工具。
【請求項１４】
糸鋸を備えている請求項１３に記載の往復動式工具。
【請求項１５】
前記モータ手段は電気モータである請求項１３又は１４に記載の往復動式工具。
【発明の詳細な説明】
【技術分野】
【０００１】
本発明は、往復動式工具の加工部材用の保護レール組立体に関し、とりわけ、それに限らないが糸鋸の刃用の保護レールに関する。
【背景技術】
【０００２】
糸鋸は、木製又は他の材料製の被加工物を切断するための往復動式鋸刃を備えている電動工具である。糸鋸は、一般に、電気モータを収納している本体と、モータの出力軸の回転運動を刃の往復動へ変換する駆動機構とを備えている。糸鋸には、被加工物に当接しかつ切断のための反応面を備えている平坦な表面の形態の支持シューがさらに設けられている。糸鋸本体は、さらに、被加工物を傾斜切断できるように、糸鋸の長手軸線回りで横方向に回動しうる。
【発明の開示】
【発明が解決しようとする課題】
【０００３】
多くの糸鋸のさらなる特徴は、シューの上方で物体が鋸刃と接触するようになるのを防ぎ、シューの下の被加工物のみが刃と接触するようになるように、鋸刃の前方に延びている糸鋸本体の下側に取り付けられている保護レールである。糸鋸が傾斜切断のために使用される時、このタイプの保護レールでは問題が発生する。糸鋸の本体が傾斜した時、糸鋸本体上の保護レールがシューの上面と接触するようになる。これにより、実現しうる傾斜切断の角度範囲を実質的に制限する。使用者の刃への視線が保護レールによって妨げられうるという問題がさらに発生する。
【課題を解決するための手段】
【０００４】
本発明の好適な実施例は、前述の従来技術を克服することを目的としている。
【０００５】
本発明の一態様によれば、本体と、回転出力軸と、回転出力軸の回転に応答して往復運動を実施するのに適した加工部材とを有する往復動式工具用シュー組立体において、組立体は、工具の本体に取り付けられるのに適しかつ被加工物と係合するのに適し、かつ加工部材がその往復動中に通過しうる穴を有する基板と、基板と本体の間で、出力部材への接近を制限するように基板に取り付けられるのに適した保護手段とを備えている往復動式工具用シュー組立体が提供されている。
【０００６】
工具の基板上に取り付けられた保護手段を設けることによって、これは、傾斜切断のために工具が傾斜する時に工具の本体が保護手段に接触するようになるのを防ぎ、傾斜切断の角度範囲を増大させるという利点がある。さらなる利点は、平坦な切断刃が保護手段の後方だが基板のほぼ前面まで前方に延びることができるという点である。これにより、工具の本体が被加工物の切断すべき部分を通過するのを防がれる場合ですら、工具はその被加工物の部分を切断することができる。さらに、被加工物以外の物体が工具の加工部材と接触するようになるという利点が提供される。
【０００７】
好適な実施例において、保護手段は、基板に形成された少なくとも１つの溝部に取り付けられるのに適している。
【０００８】
これは、保護手段が糸鋸のシューを強化しているという利点を提供している。
【０００９】
好適な実施例において、少なくとも１つの溝部が基板の下側面に形成されている。
【００１０】
少なくとも１つの溝部は、基板の前縁に沿って基板の下側面から延びている。
【００１１】
これは、保護レールの前縁がシューの前方に突出しているという利点を提供している。
【００１２】
この組立体は、穴の両側それぞれにおいて形成されている第一及び第二の溝部を備えてもよい。
【００１３】
少なくとも１つの溝部は、保護手段の一部分を弾性的に受容するためのスロットを備えてもよい。
【００１４】
好適な実施例において、保護手段は、少なくとも１つの保護レールを備えている。
【００１５】
少なくとも１つの保護レールは、基板に形成された第一及び第二の溝部それぞれに使用時に取り付けられている２つのほぼ垂直な部分それぞれによって支持されてもよい。
【００１６】
この組立体は、この保護手段と係合するのに適した塵ガードをさらに備えてもよい。
【００１７】
これは、塵が工具の前で突出して操作者の視界を隠すのを防がれているという利点を提供している。
【００１８】
保護手段は、基板から取り外すことができてもよい。
【００１９】
これは、比較的に前方に突出している平坦な切断刃を工具に嵌めることができるという利点を提供する。
【００２０】
保護手段は、一片の鋼から形成されてもよい。
【００２１】
本発明の別の態様によれば、本体と、回転出力軸を有するモータ手段と、出力軸の回転運動を加工部材の往復動に変換する駆動手段と、前述で規定するシュー組立体とを備えている往復動式工具が提供されている。
【００２２】
好適な実施例では、往復動式工具は糸鋸を備えている。
【００２３】
モータ手段は、電気モータでもよい。
【００２４】
単なる例示的でいかなる制限の意味なく本発明の好適な実施例を添付図面を参照しつつここで記載する。
【発明を実施するための最良の形態】
【００２５】
図１を参照すると、糸鋸は、刃２を駆動するべくモータ（図示せず）の回転出力を往復動作に変換する、モータ及び駆動機構（図示せず）を収納している本体１（図１では正面のみが示されている）を備えている。本体１は、シュー３上に取り付けられており、このシュー３は、鋳造で形成されており、前方に突出している２つのアーム４、５を有している。刃２は、切断中において鋸の長手軸線に沿って刃のための反力を提供する、刃支持ローラ６によって支持されている。全体として７で示されている保護レールは、アーム４、５とそれぞれが係合している垂直部分９、１０によって支持されている水平バー８を備えている。保護レール７は、一つの金属バーから曲げられている。
【００２６】
鋸の操作中において、シュー３の下側面は、切断すべき被加工物上に配置されている。刃２の歯（図示せず）は、刃の上昇運動時において被加工物が切断されかつ刃の下降運動時においていかなる切屑も除去されるように角度付けられている。それゆえ、シューは、刃２の上昇運動時において、切断のための反力を提供する。
【００２７】
この鋸のさらなる特徴は、傾斜した切断をするために、シュー３の長手軸線回りに回動する本体１の能力である。図４及び５を参照すると、シュー３は、本体１を受容するのに適した隆起部１１を備えている。図４により明確に見ることができるように、一連の窪み部１２が、隆起部１１上に形成されている。これら窪み部１２は、シュー３の長手軸線を横断する、隆起部１１を横断する線内に延びている。
【００２８】
本体１の下側面上に取り付けられている、歪みうる玉支持部（図示せず）は、シュー３に関して特定の角度で本体１を留めるために、複数の窪み部１２の中の１つ内に弾性的に受容されるのに適している。本体１をシュー３に関して長手軸線回りに回動させることによって、使用者は、本体１が歪みうる支持部（図示せず）によって保持されている角度、それゆえ、刃２によってなされる傾斜切断の角度を選択することができる。図５では、本体１は、刃２がシュー３の基部とほぼ直角である垂直位置に示されている。
【００２９】
本発明は、傾斜切断に利用可能な角度範囲が本体に取り付けられた保護レールによって制限されているという従来技術の鋸に関連する問題を克服している。本発明の鋸刃周りで前方に突出している保護レールが本体の下側面に取り付けられる場合、本体１がシューに関して傾斜しているので、保護レールの複数の側アームは、最終的にシューに接触するようになる。その結果、シュー３の前側部分に取り付けられた保護レール７は、保護レール７と本体１が全傾斜角度で互いに離間しているので、上記問題を克服している。本発明の保護レールでは、鋸の使用者の視線を隠している範囲が、鋸の本体に取り付けられた従来の保護レールよりも小さい。
【００３０】
図２及び３をここで参照すると、平坦な切断刃１３が嵌められている鋸が示されている。平坦な切断刃１３は、制限された空間内で被加工物を切断するのに有用である。図１にでは、シュー３の前方アーム４、５は、標準の刃２の縁から前方に突出している。複数のアーム４、５の前縁が壁などの障害物と接触するようになる場合、切断は、刃２の前縁からアーム４、５の前縁までの距離だけ切断が足りなくなる。
【００３１】
平坦な切断刃は、上記の問題を克服する。図４及び５に示すように、刃１３の前縁は、複数のアーム４、５の縁とほぼ同じ高さである地点まで延びている。シューに取り付けられている保護レール７のさらなる利点は、保護レール７が平坦な切断刃の前方範囲を制限しないという点である。シューに取り付けられた保護レールは、塵シールド（図示せず）の取り付けも可能である。
【００３２】
図６を参照すると、本発明の第二実施例は、図１〜５の実施例に共通する部分が１００だけ増された同様な参照番号で示されている。糸鋸シュー１０３は、前方に突出している２つのアーム１０４、１０５を備えている。前方に突出している２つのアーム１０４、１０５の前側及び下側において、２つのスロット１２０、１２１が形成されており、これらスロット１２０、１２１は、保護レール１０７を受容するのに適している。保護レール１０７の垂直部分１０９、１１０は、それらがスロット１２０、１２１内で弾性的に受容されうるように曲げられている。シューの下側に形成されているスロット１２０、１２１内に垂直部分１０９、１１０を延ばすことによって、シューの剛性が強化される。
【００３３】
前方に突出している２つのアーム１０４、１０５の前部に形成されているスロット内に垂直部分１０９、１１０を位置決めすることによって、保護レール１０７は、糸鋸シュー１０３の最も前方の地点に位置決めされている。
【００３４】
前述の実施例が単なる例示でいかなる制限的な意味でなく記載されており、添付した特許請求の範囲によって規定されている発明の範囲から逸脱することなく様々な変更及び修正が可能であるということが当業者によって認識されるであろう。
【図面の簡単な説明】
【００３５】
【図１】本発明を実施しかつ標準な刃が嵌められた糸鋸の正面斜視図である。
【図２】平坦な切断刃が嵌められた図１の糸鋸の正面斜視図である。
【図３】図２の平坦な切断刃の近接の正面斜視図である。
【図４】保護レール組立体及び玉状窪み部を示している糸鋸シューの斜視図である。
【図５】図４のシューと係合する糸鋸本体の斜視図である。
【図６】本発明の第二実施例の基板の下側の斜視図である。
【符号の説明】
【００３６】
１    本体
３    シュー
７    保護レール
【図１】
2005081841.tif 000003
【図２】
2005081841.tif 000004
【図３】
2005081841.tif 000005
【図４】
2005081841.tif 000006
【図５】
2005081841.tif 000007
【図６】
2005081841.tif 000008